(57)【要約】【課題】レンズ鏡胴内からレンズ鏡胴外へのリード線の配設、及び、レンズ鏡胴の外周側面に配設された可動部材へのリード線の接触防止を、容易にすること。【解決手段】少なくとも第１環状体１８に第２環状体２０を連結して構成されたレンズ鏡胴を備えるレンズ装置であって、第１環状体１８の外周側面に、可動部材６０が配設され、第２環状体２０の第１環状体１８に連結された端部に、切り欠き形状部２０Ａが形成され、切り欠き形状部２０Ａに、レンズ鏡胴内の電気部品からレンズ鏡胴外に至るリード線２１１、２１２が挿通された挿通孔２１Ａを有するクランプ部材２１を装着した。【選択図】図６
2011064971.tif 000002
【特許請求の範囲】
【請求項１】
少なくとも第１環状体に第２環状体を連結して構成されたレンズ鏡胴を備えるレンズ装置であって、
前記第１環状体の外周側面に、可動部材が配設され、
前記第２環状体の前記第１環状体に連結された端部に、切り欠き形状部が形成され、
前記切り欠き形状部に、前記レンズ鏡胴内の電気部品から前記レンズ鏡胴外に至るリード線が挿通された挿通孔を有するクランプ部材が装着されていることを特徴とするレンズ装置。
【請求項２】
前記クランプ部材は、前記挿通孔の周辺に、前記第２環状体の外周外側に向かって立ち上がり、前記挿通孔に挿通された前記リード線が前記第１環状体の前記可動部材側に倒れこまないように前記リード線を抑止する立ち壁部を有することを特徴とする請求項１に記載のレンズ装置。
【請求項３】
前記クランプ部材には、前記挿通孔に連通したスリットが形成され、前記スリットを介して前記挿通孔に前記リード線を差し込めることを特徴とする請求項１または２に記載のレンズ装置。
【請求項４】
前記レンズ鏡胴内のレンズは、光軸方向に沿って移動自在な移動レンズであり、
前記電気部品は、前記移動レンズの光軸方向における位置を検出するために前記レンズ鏡胴内に配設された位置検出基板であることを特徴とする請求項１ないし３のうちいずれか１項に記載のレンズ装置。
【請求項５】
前記レンズ鏡胴内に回動自在に配設されたカム筒と、
前記移動レンズを保持し、前記カム筒内で前記カム筒の回動に対応して前記移動レンズの光軸方向に沿って移動する移動枠と、
前記移動枠の外周に突設された突設体が摺動する抵抗体を含み、前記移動レンズの光軸方向に沿って前記レンズ鏡胴内に配設された第１の位置検出基板と、
前記カム筒の一端に固着された磁性体を検知する磁気センサが取り付けられ、前記レンズ鏡胴内に配設された第２の位置検出基板と、
を備え、
前記クランプ部材は、前記第１の位置検出基板のリード線及び前記第２位置検出基板のリード線を係止していることを特徴とする請求項４に記載のレンズ装置。
【請求項６】
前記レンズは、変倍レンズであることを特徴とする請求項１ないし５のうちいずれか１項に記載のレンズ装置。
【発明の詳細な説明】
【技術分野】
【０００１】
本発明は、レンズ装置に係り、特に、レンズ鏡胴内からレンズ鏡胴外に至るリード線を係止するクランプ構造に関する。
【背景技術】
【０００２】
従来、テレビの取材等で使用される持ち運び可能なＥＮＧ(Electronic News Gathering)カメラに用いられるレンズ装置として、インナーフォーカス式のレンズ装置やリアフォーカス式のレンズ装置が知られている（特許文献１、２）。
【０００３】
また、モータ内蔵の駆動部（ドライブユニット）をレンズ鏡胴の外周に装着し、この駆動部により可動リングの駆動を行えるようにしたレンズ装置が知られている（特許文献３）。
【先行技術文献】
【特許文献】
【０００４】
【特許文献１】特開平９−２１１３０３号公報
【特許文献２】特開２００７−１４８０２１号公報
【特許文献３】特開２００３−２９１２３号公報
【発明の概要】
【発明が解決しようとする課題】
【０００５】
しかしながら、レンズ鏡胴の外周側面にリード線用の挿通孔を設け、その挿通孔を介してレンズ鏡胴内の電気部品のリード線をレンズ鏡胴外の駆動部に接続しようとすると、レンズ鏡胴の外周側面に配設されている可動部材にリード線が接触してしまうという課題がある。
【０００６】
また、レンズ鏡胴に直接設けた挿通孔にリード線を通す場合、作業効率が悪いという別の課題もある。
【０００７】
本発明はこのような事情に鑑みてなされたもので、レンズ鏡胴内からレンズ鏡胴外へのリード線の配設、及び、レンズ鏡胴の外周側面に配設された可動部材へのリード線の接触防止を、容易に行うことができるレンズ装置を提供することを目的とする。
【課題を解決するための手段】
【０００８】
前記目的を達成するために、本発明は、少なくとも第１環状体に第２環状体を連結して構成されたレンズ鏡胴を備えるレンズ装置であって、前記第１環状体の外周側面に、可動部材が配設され、前記第２環状体の前記第１環状体に連結された端部に、切り欠き形状部が形成され、前記切り欠き形状部に、前記レンズ鏡胴内の電気部品から前記レンズ鏡胴外に至るリード線が挿通された挿通孔を有するクランプ部材が装着されていることを特徴とするレンズ装置を提供する。
【０００９】
即ち、レンズ鏡胴内からレンズ鏡胴外へのリード線の配設と、第１環状体の外周側面に配設された可動部材へのリード線の接触防止とを、クランプ部材ひとつで兼用することができる。
【００１０】
本発明の一態様において、前記クランプ部材は、前記挿通孔の周辺に、前記第２環状体の外周外側に向かって立ち上がり、前記挿通孔に挿通された前記リード線が前記第１環状体の前記可動部材側に倒れこまないように前記リード線を抑止する立ち壁部を有する。
【００１１】
また、本発明の一態様において、前記クランプ部材には、前記挿通孔に連通したスリットが形成され、前記スリットを介して前記挿通孔に前記リード線を差し込めるようになっている。即ち、第１環状体に第２環状体を連結する際、まずリード線をクランプ部材のスリットを介して挿通孔に差し込み、次にクランプ部材を第２環状体の端部の切り欠き形状部に装着した後、第１環状体に第２環状体を連結すればよいので、第２環状体に挿通孔を直接設けてその第２環状体の挿通孔にリード線を挿通させる場合と比較して、作業効率がよい。
【００１２】
本発明の一態様では、前記レンズ鏡胴内のレンズは、光軸方向に沿って移動自在な移動レンズであり、前記電気部品は、前記移動レンズの光軸方向における位置を検出するために前記レンズ鏡胴内に配設された位置検出基板である。
【００１３】
例えば、前記レンズ鏡胴内に回動自在に配設されたカム筒と、前記移動レンズを保持し、前記カム筒内で前記カム筒の回動に対応して前記移動レンズの光軸方向に沿って移動する移動枠と、前記移動枠の外周に突設された突設体が摺動する抵抗体を含み、前記移動レンズの光軸方向に沿って前記レンズ鏡胴内に配設された第１の位置検出基板と、前記カム筒の一端に固着された磁性体を検知する磁気センサが取り付けられ、前記レンズ鏡胴内に配設された第２の位置検出基板と、を備え、前記クランプ部材は、前記第１の位置検出基板のリード線及び前記第２位置検出基板のリード線を係止している。
【００１４】
例えば、前記レンズは、変倍レンズである。フォーカスレンズなどの他の移動レンズであってもよい。
【発明の効果】
【００１５】
本発明によれば、レンズ鏡胴内からレンズ鏡胴外へのリード線の配設、及び、レンズ鏡胴の外周側面に配設された可動部材へのリード線の接触防止を、容易に行うことができる。
【図面の簡単な説明】
【００１６】
【図１】本発明に係るレンズ装置の一例を側面から観た断面図
【図２】図１のレンズ装置のレンズ鏡胴の外周側面に駆動装置を装着した状態を示す斜視図
【図３】図１のレンズ装置の外部クランプ構造を示す斜視図
【図４】（Ａ）はクランプ部材の平面図、（Ｂ）は正面図、（Ｃ）は側面図、（Ｄ）は斜視図
【図５】マウント取付枠の端部に形成した切り欠き形状部を示す斜視図
【図６】クランプ部材によりリード線をクランプした状態を示す斜視図
【図７】図６に示した状態を示す側面図
【図８】カム筒の外観を示す斜視図
【図９】カム筒を取付けた第１本体環の外観を示す斜視図
【図１０】第１本体環と第２本体環との間にリニアポテンショメータ基板を配置した様子を示す斜視図
【図１１】リニアポテンショメータ基板及び移動枠及びその周辺部を示す側面図
【図１２】絞り枠を取付けた第１本体環の外観を示す斜視図
【図１３】図１２の内部クランプ部及びその周辺部を拡大して示す斜視図
【発明を実施するための形態】
【００１７】
以下、添付図面に従って、本発明の実施形態について、詳細に説明する。
【００１８】
［レンズ装置の全体構成］
図１は、本発明が適用された例えば民生用のビデオカメラ、テレビ放送用のＥＮＧカメラ、監視用カメラ等に適用されるリアフォーカス式で可変焦点距離のレンズ装置を側面から見た断面図であり、光軸Ｏから上半分に関して示している。
【００１９】
図１において、レンズ装置１のレンズ鏡胴は、主として前枠１０、前固定環１２、第１本体環１４、第２本体環１６、後固定環１８、マウント取付枠２０、及びマウント環２２によって略円筒状に構成されている。
【００２０】
第１本体環１４は、レンズ鏡胴の最内周の構成部材であり、この第１本体環１４の外周前方側に前固定環１２がねじにより固定され、前固定環１２の前方に前枠１０がねじにより固定されている。また、第１本体環１４の外周後方側に第２本体環１６がねじにより固定され、第２本体環１６の後方に後固定環１８が、後固定環１８の後方にマウント取付枠２０が、マウント取付枠２０の後方にマウント環２２がそれぞれねじにより固定されている。
【００２１】
尚、前枠１０には、レンズフード２４が装着できるようになっている。また、レンズ装置１は、マウント環２２を介してレンズ交換式のカメラ本体に装着される。
【００２２】
このレンズ装置１における光学系は、物体側から順に、固定レンズ（第１群レンズ）３０、ズーム（変倍）レンズ（第２群レンズ）３２、前マスターレンズ（第３群レンズ）３４、フォーカスレンズ（第４群レンズ）３６、及び後マスターレンズ（第５群レンズ）３８の５群から構成されている。また、前マスターレンズ３４の直前には、虹彩絞り４０が設けられている。
【００２３】
ズームレンズ３２が取り付けられたレンズ枠４２は、押え環４４により移動枠４６に固定されている。第１本体環１４の内周部にはカム筒４８が回動可能に保持されており、移動枠４６は、カムピン４６Ａを介してカム筒４８の内周部に保持されている。
【００２４】
即ち、第１本体環１４の内周面には光軸Ｏ方向の直進溝１４Ａが形成されるとともに、カム筒４８にはカム溝（カム形状の孔）４８Ａが形成されており、移動枠４６に固定されたカムピン４６Ａが、カム筒４８のカム溝４８Ａを挿通して第１本体環１４の直進溝１４Ａに係合されている。これによって移動枠４６は、回転が規制された状態で光軸Ｏ方向に直進可能に保持されるとともに、カムピン４６Ａがカム溝４８Ａに係合する位置に保持される。
【００２５】
従って、カム筒４８が回動すると、カム筒４８のカム溝４８Ａと第１本体環１４の直進溝１４Ａとの交差位置がカム形状に応じた位置に変化し、その交差位置へのカムピン４６Ａの移動によって移動枠４６が光軸Ｏ方向に進退移動する。
【００２６】
一方、第２本体環１６の外周部には、ズームリング５０が回動可能に配置されており、そのズームリング５０の内周面の径方向内向きに棒状の連結軸５２が取り付けられている。この連結軸５２は、第１本体環１４に形成された周方向の長孔（図示せず）を挿通してカム筒４８に連結されている。これにより、ズームリング５０を回動操作すると、それに連動してカム筒４８が回動する。カム筒４８が回動すると、上述のように移動枠４６が進退移動し、移動枠４６と連動してズームレンズ３２が光軸Ｏ方向に移動する。従って、ズームリング５０の回動操作によりズーム倍率が変更されるようになっている。
【００２７】
虹彩絞り４０は、主としてプラスチック製の地板５４Ａと、菊座（カム板）５６と、地板５４Ａとカム板５６との間に配置された複数枚の絞り羽根５８とによって構成されている。後固定環１８とマウント取付枠２０との間には、アイリスリング６０が回動可能に配設され、このアイリスリング６０には、カム板５６から延出する連結軸５６Ａが連結されている。これにより、アイリスリング６０の回動によりカム板５６が回動し、絞り羽根５８が開閉動作するようになっている。
【００２８】
フォーカスレンズ３６は、光学系の焦点位置を変更するもので、前マスターレンズ３４等を保持する保持枠６２と、この保持枠６２の後端に配設される後マスターレンズ３８のレンズ枠６４との間に保持されているガイド軸及び回り止め（図示せず）により、光軸Ｏ方向に移動可能に支持されている。また、保持枠６２には、ガイド軸を挟んで一対のボイスコイルモータ（ＶＣＭ）６６が配設されており、フォーカスレンズ３６は、このＶＣＭ６６の動力によって電動で駆動されるようになっている。
【００２９】
前固定環１２の外周部には、第１フォーカスリング７０、及び第２フォーカスリング７２がそれぞれ回動可能に配置されている。第１フォーカスリング７０は、回動範囲が規制されておらず、エンドレスに回転させることができるとともに、光軸方向にスライド可能に配設されている。また、第２フォーカスリング７２は、ストッパー軸７４により約１２０度の範囲内で回動できるように規制されている。
【００３０】
第１フォーカスリング７０と第２フォーカスリング７２とが対向する端面には、それぞれ鋸歯状のクラッチ部７０Ａ、７２Ａが形成されており、図１に示す状態では、クラッチ部７０Ａ，７２Ａが連結（噛合）し、第１フォーカスリング７０と第２フォーカスリング７２とが一体的に回動する。従って、この状態で、第１フォーカスリング７０を手動で回動させる場合には、約１２０度の範囲内でのみ回動させることができる。
【００３１】
一方、第１フォーカスリング７０を、クリック用弾性部材７６を乗り越えるように前方にスライドさせると、前記クラッチ部７０Ａ、７２Ａの連結が外れる。これにより第１フォーカスリング７０は、エンドレスで回転できるようになる。
【００３２】
上記構成のレンズ装置１の側面には、ねじ孔８０、８２を介してグリップ部を兼ねた駆動部（図示せず）が取り付けられる。
【００３３】
駆動部は、ズームリング５０、アイリスリング６０を駆動するための駆動手段を有するとともに、内部に制御基板が配設され、シーソー式のズームスイッチにより電動でズームレンズ３２等を駆動制御するとともに、フォーカスレンズ３６や虹彩絞り４０を制御する。
【００３４】
＜各種の検出手段＞
第１本体環１４の外周面には、光軸方向に沿ってリニアポテンショメータ基板が配設されており、このリニアポテンショメータ基板（リニアＰＯＴ基板）は、カム筒４８の回転によりズームレンズ３２が光軸方向に移動すると、その移動位置に対応した位置検出信号（絶対位置を示す信号）をリード線を介して駆動部に出力する。
【００３５】
カム筒４８の後端面には、Ｎ極、Ｓ極が着磁された磁気リング８４が接着されており、第１本体環１４には、前記磁気リング８４に対向して磁気センサ（ＭＲセンサ）が配設されている。カム筒４８とともに磁気リング８４が回転すると、ＭＲセンサはその回転量に対応するパルス数のパルス信号（相対位置を示す信号）をリード線を介して駆動部に出力する。
【００３６】
尚、ズームリニアＰＯＴの出力は、電源投入時に使用され、その後は、ズーム位置検出用のＭＲセンサの出力が使用される。
【００３７】
フォーカスレンズ３６のガイド軸に対向する保持枠６２には、フォーカスレンズ位置検出用のＭＲセンサが配設されており、このＭＲセンサは、フォーカスレンズ３６の移動量に対応するパルス数のパルス信号（相対位置を示す信号）をリード線を介して駆動部に出力する。また、フォーカスレンズ３６の基準位置を検出するためのホームポジションセンサ（フォトインタラプタ）が保持枠６２内に配設されており、駆動部は、ホームポジションセンサによって検出されたフォーカスレンズ３６の基準位置を基準にしてＭＲセンサの出力信号をカウントすることによりフォーカスレンズ３６の絶対位置を検知している。
【００３８】
第１フォーカスリング７０及び第２フォーカスリング７２の周囲には、それぞれ歯車７０Ｂ，７２Ｂが形成されており、これらの歯車７０Ｂ，７２Ｂは、それぞれ駆動部側に設けられた相対位置検出型センサ（インクリメンタルエンコーダ）、及び絶対位置検出型センサ（アブソリュートエンコーダ）の検出軸の歯車に連結している。
【００３９】
これにより、駆動部は、第１フォーカスリング７０の相対的な回転量を検知することができるとともに、第２フォーカスリング７２の絶対的な回転位置を検知することができる。
【００４０】
また、前固定環１２の先端部には、フォトインタラプタ８６が配設されており、一方、第１フォーカスリング７０の先端には、遮光板７０Ｃが設けられている。このフォトインタラプタ８６は、遮光板７０Ｃの有無を示す検出信号を駆動部に出力する。これにより駆動部は、フォトインタラプタ８６からの検出信号により第１フォーカスリング７０が第２フォーカスリング７２に連結しているか否かを検知することができる。
【００４１】
［レンズ制御］
マウント取付枠２０の側面には、スライド式のマクロＯＮ／ＯＦＦスイッチと、ＡＦ／ＭＦ切替えスイッチと、ノンロック式のＡＦプッシュスイッチとが配設されており、これらのスイッチの操作に伴う出力信号は、リード線を介して駆動部に加えられるようになっている。
【００４２】
ここで、マクロＯＮ／ＯＦＦスイッチは、マクロ撮影モードをＯＮ／ＯＦＦさせるスイッチである。ＡＦ／ＭＦ切替えスイッチは、被写体像のコントラストが最大になるように自動的にフォーカスレンズ３６を移動させて焦点調節を行うオートフォーカス（ＡＦ）モードと、第１フォーカスリングを手動で回動操作することによりフォーカスレンズ３６を移動させて焦点調節を行うマニュアルフォーカス（ＭＦ）モードとを切り替えるスイッチである。ＡＦプッシュスイッチは、ＡＦ／ＭＦ切替えスイッチによりＭＦモードに切り替えられている場合に、キートップが押下（プッシュ）されている期間だけＡＦモードに切り替えるスイッチである。
【００４３】
＜フォーカス制御＞
ＡＦ／ＭＦ切替えスイッチによりＡＦモードに切り替えられている場合には、駆動部は、第１フォーカスリング７０、第２フォーカスリング７２の操作にかかわらず、自動的にフォーカスレンズ３６を合焦位置に移動させるＡＦ制御を行う。
【００４４】
一方、ＡＦ／ＭＦ切替えスイッチによりＭＦモードに切り替えられている場合には、第１フォーカスリング７０のスライド位置に応じて、フルＭＦモード（端付き）とＡＦ／ＭＦモード（エンドレス）とが切り替えられるようになっている。
【００４５】
即ち、駆動部は、前述したフォトインタラプタ８６からの検出信号により第１フォーカスリング７０のスライド位置（第１フォーカスリング７０が第２フォーカスリング７２に連結しているか否か）を検知することができ、第１フォーカスリング７０が第２フォーカスリング７２に連結している場合にはフルＭＦモードに切り替え、第１フォーカスリング７０が第２フォーカスリング７２に連結していない場合にはＡＦ／ＭＦモードに切り替える。
【００４６】
駆動部は、第１フォーカスリング７０が第２フォーカスリング７２に連結しているフルＭＦモード時には、第２フォーカスリング７２の歯車７２Ｂに連結している絶対位置検出型センサからの絶対位置信号（至近から無限遠の範囲内の撮影距離を指令する信号）と、電源投入時のズームリニアＰＯＴの出力及びその後のズーム位置検出用のＭＲセンサの出力から得られるズーム位置の絶対位置を示す信号（ズーム倍率を示す信号）とに基づいてフォーカスレンズ３６を駆動制御する。即ち、撮影距離に対応するフォーカスレンズ３６の移動すべき位置は、ズームレンズ３２の現在のズーム位置（ズーム倍率）に応じて予め設定されており、駆動部は、第１フォーカスリング７０の手動操作に連動して第２フォーカスリング７２が回動すると、その回動位置を示す信号（撮影距離を指令する信号）と現在のズーム倍率とに基づいてフォーカスレンズ３６を対応する位置に移動させる。
【００４７】
このようにフルＭＦモードに切り替えられると、第１フォーカスリング７０を手動で操作することにより、フォーカスレンズ３６を所望の撮影距離に対応する位置に移動させることができる。尚、第１フォーカスリング７０は、ストッパー軸７４によって回動範囲が規制されている端付きの第２フォーカスリング７２に連結しているため、その回動範囲が第２フォーカスリング７２と同様に規制され、至近端から無限遠端に対応する回動範囲内で回動できるようになっている。
【００４８】
上記フルＭＦモードは、第１フォーカスリング７０が第２フォーカスリング７２を介して回動範囲が制限されており、操作者は、第１フォーカスリング７０が端に到達したときの操作感によってフォーカスレンズ３６が至近端又は無限遠端に到達したことを認識することができる。このような第１フォーカスリング７０のみによるフォーカス操作は、本職のカメラマン等が使い慣れた方式である。
【００４９】
一方、第１フォーカスリング７０が第２フォーカスリング７２に連結していないＡＦ／ＭＦモード時には、第１フォーカスリング７０を回動させることによりフォーカスレンズ３６を移動させるＭＦモードと、前述したＡＦプッシュスイッチの押下によるＡＦモードとを適宜使い分けてフォーカス制御を行うことができる。
【００５０】
即ち、駆動部は、ＡＦ／ＭＦモード時に第１フォーカスリング７０が操作され、第１フォーカスリング７０の歯車７０Ｂに連結している相対位置検出型センサからの相対位置信号を入力すると、その相対位置信号に基づいてフォーカスレンズ３６を駆動制御し、第１フォーカスリング７０の回動量に対応した移動量だけフォーカスレンズ３６を移動させる。
【００５１】
尚、ＡＦ／ＭＦモード時には第１フォーカスリング７０は、第２フォーカスリング７２に連結していないため、その回動範囲が規制されずエンドレスで回転できるが、駆動部は、フォーカスレンズ３６が無限遠端又は至近端の位置まで移動すると、その端を超える移動指令は出力しないようにしている。
【００５２】
また、ＡＦ／ＭＦモード時にＡＦプッシュスイッチの押下によりＡＦモードに一時的に切り替え、その後、ＡＦプッシュスイッチから手を離してＭＦモードに切り替えると、ＡＦモードによって自動的に合焦したフォーカスレンズ３６の位置を引き継いで、第１フォーカスリング７０を操作した分だけフォーカスレンズ３６を変位させることができ、使い勝手がよくなる。
【００５３】
＜ズーム制御＞
駆動部に設けられているシーソー式のズームスイッチを操作すると、駆動部内の電動モータからズームリング５０の周囲に形成されている歯車５０Ａに回転駆動力が伝達され、これによりズームリング５０を回動させることができるようになっている。また、ズームリング５０（ズームリング５０に植設された図示しないズームレバー）を手動で操作することにより、ズームリング５０を回動させることができるようになっている。
【００５４】
ズームリング５０が回動すると、連結軸５２を介して連結されているカム筒４８が回動し、カム筒４８が回動すると、第１本体環１４に形成されている直進溝１４Ａ及びカム筒４８のカム溝４８Ａに係合しているカムピン４６Ａを介して移動枠４６が光軸Ｏ方向に進退移動する。このようにズームリング５０を回動させると、ズームレンズ３２を光軸Ｏ方向に移動させることができ、ズーム倍率を変更させることができる。
【００５５】
上記のようにしてズームレンズ３２の移動によりズーム倍率が変化すると、焦点面が移動するが、駆動部は、ズーム倍率の変化に伴う焦点面の移動を補正する補正光学系としてフォーカスレンズ３６を兼用し、ズーム倍率にかかわらず焦点面が移動しないようにフォーカスレンズ３６の位置を制御している。
【００５６】
即ち、駆動部は、ズーム操作前の現在のズームレンズ３２のズーム位置を、電源投入時のズームリニアＰＯＴの出力及びその後のズーム位置検出用のＭＲセンサの出力から取得するとともに、現在のフォーカスレンズ３６の位置をフォーカスレンズ位置検出用のＭＲセンサから取得し、予め撮影距離毎に準備されている焦点面を移動させないズーム位置とフォーカスレンズ位置との関係を示す補正曲線から、前記取得したズーム位置及びフォーカスレンズ位置に基づいて対応する補正曲線を選択し、その後、ズームレンズ３２の移動量が、ズームレンズ位置検出用のＭＲセンサの出力信号に基づいて検出されると、この検出されたズーム位置に対応するフォーカスレンズ位置（焦点面を移動させないフォーカスレンズ位置）を前記選択した補正曲線から読み出し、読み出したフォーカスレンズ位置にフォーカスレンズ３６を移動させる。
【００５７】
これにより、フォーカス制御により焦点面が、レンズ装置１が装着されたカメラ本体の撮像素子上に位置するようにピント調整した後、ズーム倍率を変更しても焦点面が移動しないようにする（ピントがずれないようにする）ことができる。
【００５８】
これにより、ズーム倍率を変更しても焦点面が移動しないようにすることができる。従って、一旦、フォーカス制御により焦点面がレンズ装置１が装着されたカメラ本体の撮像素子上に位置するようにピント調整すると、その後、ズーム操作してもピントがずれないようにすることができる。
【００５９】
［実施の形態］
図２は、レンズ装置１のレンズ鏡胴２の外周側面に駆動部３００（駆動装置）を装着した状態を示す斜視図である。図２に示す駆動部３００は、図１に示した駆動部取付け用のねじ孔（第２本体環１６外周のねじ孔８０、及び、後固定環１８外周のねじ孔８２）により、レンズ鏡胴２の外周側面に取り付けられている。駆動部３００は、フォーカスリングの歯車７０Ｂ、７２Ｂの回動量の検知や、ズームリングの歯車５０Ａ及びアイリスリングの歯車６０Ａの回転駆動を行う。駆動部３００の各種の制御は、図１を用いて既に説明したので、ここではその説明を省略する。尚、レンズ鏡胴２は、図１に示したように、前枠１０、前固定環１２、第１本体環１４、第２本体環１６、後固定環１８、マウント取付枠２０及びマウント環２２といった複数の環状体を連結して構成されている。
【００６０】
図３は、図２に示したレンズ装置１の外部クランプ構造を示す斜視図である。尚、図３では、外部クランプ構造を明らかにするため図２の駆動部３００を外した状態を示している。図３に示す符号２１１、２１２のリード線群は、それぞれレンズ鏡胴２内の後述するＭＲセンサ基板（図１２の９０）及びリニアＰＯＴ基板（図１２の１１０）から外部クランプ部材２１を介してレンズ鏡胴２外の外部コネクタ２１３、２１４に至る。外部クランプ部材２１は、マウント取付枠２０の後固定環１８が連結された端部の切り欠き形状部２０Ａに装着されている。この外部クランプ部材２１は、符号２１１、２１２のリード線をクランプしている。
【００６１】
符号２１５、２１６のリード線群は、マウント取付枠２０の電気部品（スイッチやフォーカスレンズ駆動部など）に接続されている。これらのリード線群２１５、２１６は、マウント取付枠２０の電気部品に接続されているので、マウント取付枠２０と後固定環１８との連結作業には直接関係が無い。即ち、連結作業前に予めマウント取付枠２０の外側に引き出しておけばよい。その一方で、前述の符号２１１、２１２のリード線群は、マウント取付枠２０よりも前方の環状体（図１の第１本体環１４）の電気部品に接続されているため、マウント取付枠２０と後固定環１８との連結作業に関係する。尚、本例では、マウント取付枠２０よりも前の環状体の外周側面には各種の可動リング（ズームリング５０、アイリスリング６０等）が配設されているため、符号２１１、２１２のリード線群をマウント取付枠２０の端部にて引き出すことが、好ましい。
【００６２】
以下では、連結作業に関係する符号２１１、２１２のリード線群のクランプ構造について説明する。
【００６３】
図４（Ａ）、（Ｂ）、（Ｃ）及び（Ｄ）は、それぞれ外部クランプ部材２１の平面図、正面図、側面図及び斜視図である。図４（Ａ）に示すように、外部クランプ部材２１は、リード線群２１１、２１２が挿通される挿通孔２１Ａと、挿通孔２１Ａに挿通されたリード線群２１１、２１２が後固定環１８のアイリスリング６０側に倒れこまないようにリード線群２１１、２１２を抑止する立ち壁部２１Ｂと、挿通孔２１Ａに連通しているスリット２１Ｃと、マウント取付枠２０により支持されるフランジ２１Ｄと、外部クランプ部材２１をマウント取付枠２０にねじ止めするためのねじ孔２１Ｅを有する。また、図４（Ｂ）に示すように、外部クランプ部材２１は、リード線群２１１、２１２を案内するリード線ガイド２１Ｆを有する。本例の外部クランプ部材２１は、合成樹脂により形成されている。
【００６４】
図５は、マウント取付枠２０の後固定環１８が連結される端部２０Ｅに形成された切り欠き形状部２０Ａを示す斜視図である。図５に示すように、切り欠き形状部２０Ａは、図４（Ａ）等に示した外部クランプ部材２１のフランジ２１Ｄを支持する平坦部２０Ｂ、及び、図４（Ｂ）等に示したリード線ガイド２１Ｆを平坦部２０Ｂに対し垂直方向に通す湾曲部２０Ｃを含んで構成されている。尚、「切り欠き形状」は切り欠き加工による成形を意味するものではなく、どのような成形で切り欠き形状を形成してもよい。
【００６５】
図６は、外部クランプ部材２１によりリード線群２１１、２１２をクランプした状態を示す斜視図である。即ち、外部クランプ部材２１のスリット２１Ｃを介して挿通孔２１Ａにリード線群２１１、２１２を差し込み、外部クランプ部材２１をマウント取付枠２０の切り欠き形状部２０Ａに装着し、ねじ２１７により外部クランプ部材２１をマウント取付枠２０に固着し、マウント取付枠２０を後固定環１８に連結した。このような状態では、図７の側面図に示されるように、マウント取付け枠２０の外周外側に向かって立ち上がった外部クランプ部材２１の立ち壁部２１Ｂにより、リード線群２１１のアイリスリング６０（可動部材）に対する接触が抑止される。
【００６６】
以下では、レンズ鏡胴内の構造について、説明する。
【００６７】
図８は、カム筒４８の外観を示す斜視図である。図８に示すように、カム筒４８に、３つのカム溝４８Ａが形成されている。カム溝４８Ａに、移動枠４６に固定されたカムピン４６Ａが挿通されている。カムピン４６Ａは、第１本体環１４の直進溝１４Ａに係合されている。即ち、カム筒４８が回動すると、移動枠４６内のズームレンズ（図１の３２）が光軸０方向に沿って移動する。
【００６８】
図９は、カム筒４８を取付けた第１本体環１４の外観を示す斜視図である。第１本体環１４の外周側面には、ＭＲセンサ基板９０を取付けるＭＲセンサ基板配置部１４Ｂと、基板固定枠（図１０の１２０）を介してリニアＰＯＴ基板（図１０の１１０）を取付けるリニアＰＯＴ基板配置部１４Ｃが形成されている。ＭＲセンサ基板配置部１４Ｂ及びリニアＰＯＴ基板配置部１４Ｃは、それぞれＭＲセンサ基板９０及び基板固定枠１２０の取付面に対応した形状（平坦形状）で形成されている。また、第１本体環１４の外周側面には、移動枠４６に突設された後述の移動接点（図１１の１３０）を移動自在に挿通させる長孔１４Ｄが形成されている。
【００６９】
第１本体環１４の外周後端部に設けられたＭＲセンサ基板配置部１４Ｂに、ワッシャ９２を挟んで、ＭＲセンサ基板９０が配設されている。ＭＲセンサ基板９０には、ＭＲセンサ（磁気センサ）が取付けられている。ＭＲセンサは、僅かなエアーギャップを介して、カム筒４８の後端に固着された磁気リング（図１の８４）に対向している。
【００７０】
図１０は、リニアＰＯＴ基板１１０とリニアＰＯＴ基板１１０を保持した基板固定枠１２０とを、第１本体環１４（第１の環状体）の外周と第２本体環１６（第２の環状体）の内周との間に配置した様子を示す斜視図である。なお、第１本体環１４と第２本体環１６との間には、エアーギャップが周方向に沿って形成されている。リニアＰＯＴ基板１１０は、ズームレンズ（図１の３２）の移動可能範囲にわたって絶対位置を検出するため、その移動可能範囲にわたる長さを有する。
【００７１】
図１１は、リニアＰＯＴ基板１１０及び移動枠４６及びその周辺部を示す側面図である。リニアＰＯＴ基板１１０は、例えば合成樹脂を基材とし、基材の一方の面１１０Ａに抵抗体が形成されている。移動接点１３０は、移動枠４６の外周に突設された突設体１３２と、リニアＰＯＴ基板１１０の抵抗体に対し摺動自在に接触するブラシ１３４（摺動体）と、ブラシ１３４を突設体１３２に対し固定する固定部材１３６とを含んで構成されている。即ち、移動枠４６の外周に突設された移動接点１３０が、移動枠４６及びレンズ枠４２及びズームレンズ３２と共に、図８のカム筒４８の回動に対応して光軸０方向に沿って移動し、リニアＰＯＴ基板１１０の一方の面１１０Ａに形成された抵抗体に対し摺動する。
【００７２】
図１２は、絞り枠５４を取付けた第１本体環１４の外観を示す斜視図である。尚、図１２では第２本体環１６を外して示している。図１２に示すように、第１本体環１４の後端面に、本例では３本のねじ２２１によって、絞り枠５４が固着されている。絞り枠５４は、図１の絞り羽根５８及びカム板５６を含む虹彩絞り４０を保持している。即ち、絞り枠５４は、絞り機構を保持して第１本体環１４に対し取り付ける絞り機構取付部材を構成する。絞り枠５４は、例えば合成樹脂により構成される。カム板押え５７は、カム板５６を絞り枠５４に押し付け固着する部材である。
【００７３】
第１本体環１４の外周側面には、ズームレンズ（図１の３２）の光軸０方向における位置を検出するための電気部品であるＭＲセンサ基板９０（磁気センサ基板）及びリニアＰＯＴ基板１１０（リニアポテンショメータ基板）が取付けられている。ＭＲセンサ基板９０は、第１本体環１４の外周側面の後端エッジ（絞り枠５４が固着されている側の縁である）に、配置されている。リニアＰＯＴ基板１１０は、基板固定枠１２０を介し、第１本体環１４の外周側面に、光軸０方向に沿ってズームレンズ（図１の３２）の移動可能範囲にわたり配設されている。
【００７４】
ＭＲセンサ基板９０及びリニアＰＯＴ基板１１０のリード線群（第１のリード線群２１１、第２のリード線群２１２）は、絞り枠５４に一体成形された内部クランプ部５５に係止されている。これにより、リード線群２１１、２１２が、第１本体環１４の後端側に集められるとともに、絞り枠５４に固定されている。リード線群２１１、２１２の先端に取付けられた外部コネクタ（第１の外部コネクタ２１３及び第２の外部コネクタ２１４）は駆動部（図２の３００）に接続されている。
【００７５】
内部クランプ部５５は、絞り枠５４の外周縁のうち、周方向において第１本体環１４のＭＲセンサ基板配置部１４ＢとリニアＰＯＴ基板配置部１４Ｃとの間に対応する部分に、配置されている。内部クランプ部５５の形成位置は、図１２に示した場合には特に限定されないが、第１本体環１４の外周側面（即ち電気部品９０、１１０の配置位置）に対応して、絞り枠５４の外周エッジに形成されている。
【００７６】
尚、カム板５６及び絞り羽根（図１の５８）を含んで、被写体光が通過する開口径を調節する絞り機構としての虹彩絞り（図１の４０）が、構成されている。絞り枠５４は、虹彩絞り４０を保持している。尚、本例では、絞り枠５４と地板（図１の５４Ａ）とを別の部材で構成しているが、絞り枠５４に地板５４Ａを一体成形する場合にも、本発明を適用できる。また、本例では、カム板押え５７を設けているが、絞り枠５４にカム板押え５７を一体成形する場合にも、本発明を適用できる。
【００７７】
図１３は、図１２における内部クランプ部５５及びその周辺部を拡大して示す斜視図である。尚、図１３では、内部クランプ部５５を詳細に見せるため、リード線群２１１、２１２を切断して示している。図１３に示すように、内部クランプ部５５は、ＭＲセンサ基板９０のリード線群２１１及びリニアＰＯＴ基板１１０のリード線群２１２がそれぞれ第１本体環１４の外周外側に向かって膨らむことを抑えるリード線抑え部５５Ａ、５５Ｂ、５５Ｃを有する。また、内部クランプ部５５は、リード線群２１１及び２１２がそれぞれ引掛けられ、第１本体環１４の周方向から光軸方向にリード線群２１１、２１２を方向転換させることで、絞り枠５４の後方（矢印Ｂ方向）に向かって引き回すリード線引掛部５５Ｄ、５５Ｅを有する。
【００７８】
ＭＲセンサ基板９０のリード線群２１１は、まず、第１のリード線抑え部５５Ａにより、絞り枠５４の外周外側（即ち第１本体環１４の外周外側）に向かって膨らまないように抑制される。次に、第２のリード線抑え部５５Ｂにより、絞り枠５４の外周外側への膨らみ防止とともに、絞り枠５４の後方（矢印Ｂ方向）に向かって膨らむことも抑制される。そして、第１のリード線引掛部５５Ｄにて方向転換して後方（矢印Ｂ方向）に向かい、図１２に示した第１の外部コネクタ２１３に接続している。
【００７９】
リニアＰＯＴ基板１１０のリード線群２１２は、まず、基板固定枠１２０のリード線係止部１２９により係止されることで、絞り枠５４の外周外側（即ち第１本体環１４の外周外側）に向かって膨らまないように抑制される。次に、第３のリード線抑え部５５Ｃにより、絞り枠５４の外周外側への膨らみ防止とともに、絞り枠５４の後方（矢印Ｂ方向）に向かって膨らむことも抑制される。そして、第２のリード線引掛部５５Ｅにて方向転換して後方（矢印Ｂ方向）に向かい、図１２に示した第２の外部コネクタ２１４に接続している。
【００８０】
なお、ズームレンズ３２の位置を検出する位置検出基板９０、１１０のリード線のクランプに関して説明したが、このような場合に本発明は限定されない。本発明は、レンズを収納した環状体に配設された各種の電気部品のリード線のクランプに適用可能である。また、外部クランプ部材２１は、図面に示した例には限定されない。
【００８１】
また、絞り枠の形状は、図面に示した例には限定されない。また、絞り枠により保持される絞り機構は、図面に示した例には限定されない。
【００８２】
本発明は、本明細書において説明した例や図面に図示された例には限定されず、本発明の要旨を逸脱しない範囲において、各種の設計変更や改良を行ってよいのはもちろんである。
【符号の説明】
【００８３】
１…レンズ装置、１０…前枠、１２…前固定環、１４…第１本体環、１６…第２本体環、１８…後固定環、２０…マウント取付枠、２０Ａ…マウント取付枠の切り欠き形状部、２１…外部クランプ部材、２１Ａ…挿通孔、２１Ｂ…立ち壁部、２１Ｃ…スリット、２１Ｄ…フランジ、２１Ｆ…リード線ガイド、２２…マウント環、３２…ズームレンズ、４０…虹彩絞り（絞り機構）、４８…カム筒、５０…ズームリング、５４…絞り枠、５５…内部クランプ部、６０…アイリスリング、９０…ＭＲセンサ基板（第１の位置検出基板）、１１０…リニアＰＯＴ基板（第２の位置検出基板）、２１１、２１２…リード線群、２１３、２１４…外部コネクタ、３００…駆動部
【図１】
2011064971.tif 000003
【図２】
2011064971.tif 000004
【図３】
2011064971.tif 000005
【図４】
2011064971.tif 000006
【図５】
2011064971.tif 000007
【図６】
2011064971.tif 000008
【図７】
2011064971.tif 000009
【図８】
2011064971.tif 000010
【図９】
2011064971.tif 000011
【図１０】
2011064971.tif 000012
【図１１】
2011064971.tif 000013
【図１２】
2011064971.tif 000014
【図１３】
2011064971.tif 000015